(57)【要約】  方法およびシステムは、向上した精度でオンライン広告の有効性を監視する。該方法は、ターゲットウェブページを訪れるための要求を解析し、該要求が広告ウェブサイトからのものであるか否かを決定し、該要求が広告ウェブサイトからのものである場合、該要求から監視ターゲット識別子を抽出する。該方法は、さらに該要求に従って、ユーザ識別子を取得し、監視ターゲット識別子およびユーザ識別子を含む追跡データを記録する。広告効果監視イベントの発生時に、該方法は、イベントに関連する、監視ターゲット識別子およびユーザ識別子を含む記録された追跡データを見出し、広告効果監視イベントの追跡データおよび／または情報に基づいて、広告効果の有効データを記録する。
2010541047.tif 000002
【特許請求の範囲】
【請求項１】
オンライン広告の有効性を監視するための方法であって、
ターゲットウェブページを訪れる要求を解析するステップと、
前記要求が広告ウェブサイトからのものか否かを決定するステップと、
前記要求が広告ウェブサイトからのものである場合、前記要求から監視ターゲット識別子を抽出するステップと、
前記要求に従ってユーザ識別子を取得するステップと、
前記監視ターゲット識別子と前記ユーザ識別子と、を含む追跡データを記録または更新するステップと、
前記追跡データの前記監視ターゲット識別子および前記ユーザ識別子に関連する広告効果監視イベントの発生時に、前記広告効果監視イベントの追跡データおよび／または情報に基づいて、広告効果の有効データを記録するステップと
を含むことを特徴とする方法。
【請求項２】
前記要求に従って、ユーザ識別子を取得するステップは、
前記要求がユーザ識別子を含む場合、前記要求から前記ユーザ識別子を抽出するステップと、
前記要求がユーザ識別子を含まない場合、前記要求に対して固有のユーザ識別子を割り当て、前記固有のユーザ識別子を前記要求に挿入するステップと
を含むことを特徴とする請求項１に記載の方法。
【請求項３】
前記監視ターゲット識別子および前記ユーザ識別子を含む追跡データを記録または更新するステップは、
前記監視ターゲット識別子および前記ユーザ識別子を含む、記録された追跡データが既に存在するか否かを決定するステップと、
存在しない場合は、現在の追跡データを記録するステップと、
存在する場合は、現在の追跡データを使用して、前記記録された追跡データを更新するか、または前記記録された追跡データに加えて、前記現在の追跡データを複製として記録するステップと
を含むことを特徴とする請求項１に記載の方法。
【請求項４】
前記追跡データは日付を含むことを特徴とする請求項１に記載の方法。
【請求項５】
前記追跡データを広告効果の有効データに登録するステップは、
前記広告効果監視イベントが、前記追跡データにおいて特定される日付から開始する事前設定された期間内に発生するか否かを決定するステップと、
発生する場合は、前記追跡データを広告効果の有効データに登録するが、発生しない場合は、前記イベントを無視するステップと
を含むことを特徴とする請求項１に記載の方法。
【請求項６】
前記ターゲットウェブページを訪れる前記要求を解析するステップ、前記要求から前記追跡データを抽出するステップ、および前記追跡データを広告効果の有効データに記録するステップは、すべて非同期的に行われることを特徴とする請求項１に記載の方法。
【請求項７】
広告効果の前記有効データに従って、広告料金を計算するステップと、
前記広告料金の請求書を生成するステップと
をさらに含むことを特徴とする請求項１に記載の方法。
【請求項８】
広告効果の有効データを記録するステップは、前記追跡データを広告効果の前記有効な日付としてマーキングするステップを含むことを特徴とする請求項１に記載の方法。
【請求項９】
前記広告効果監視イベントは、カスタムイベントであることを特徴とする請求項１に記載の方法。
【請求項１０】
前記広告効果監視イベントは、製品の購入を決定するステップと、製品を注文するステップと、製品を閲覧するステップのうちのいずれかを含むことを特徴とする請求項１に記載の方法。
【請求項１１】
オンライン広告の有効性を監視するための方法であって、
ターゲットウェブページを訪れる要求を解析するステップと、
前記要求が広告ウェブサイトからのものか否かを決定するステップと、
前記要求が広告ウェブサイトからのものである場合に、前記要求から監視ターゲット識別子を抽出するステップと、
前記要求に従って、ユーザ識別子を取得するステップと、
前記監視ターゲット識別子および前記ユーザ識別子を含む追跡データを記録および更新するステップと、
広告効果監視イベントの発生時に、前記広告効果監視イベントに関連する、監視ターゲット識別子およびユーザ識別子を含む記録された追跡データを識別するステップと、
前記広告効果監視イベントの識別記録された追跡データおよび／または情報に基づいて、広告効果の有効データを記録するステップと
を含むことを特徴とする方法。
【請求項１２】
前記要求に従って、ユーザ識別子を取得するステップは、
前記要求がユーザ識別子を含む場合、前記ユーザ識別子を前記要求から抽出するステップと、
前記要求がユーザ識別子を含まない場合、固有のユーザ識別子を前記要求に割り当て、前記固有のユーザ識別子を前記要求に挿入するステップと
を含むことを特徴とする請求項１１に記載の方法。
【請求項１３】
広告効果の有効データを記録するステップは、
前記広告効果監視イベントが、前記記録された追跡データにおいて特定される日付から開始する、事前設定された期間内に発生するか否かを決定するステップと、
発生する場合は、前記広告効果監視イベントの前記追跡データおよび／または前記情報に基づいて、広告効果の前記有効データを記録するが、発生しない場合は、前記イベントを無視するステップと
を含むことを特徴とする請求項１１に記載の方法。
【請求項１４】
広告効果の前記有効データに従って、広告料金を計算するステップと、
前記広告料金の請求書を生成するステップと
をさらに含むことを特徴とする請求項１１に記載の方法。
【請求項１５】
前記広告効果監視イベントは、製品の購入を決定するステップと、製品を注文するステップと、製品を閲覧するステップのうちのいずれかを含むことを特徴とする請求項１１に記載の方法。
【請求項１６】
オンライン広告の有効性を監視するためのシステムであって、
前記ターゲットウェブページを訪れる要求を解析し、前記要求が広告ウェブサイトからのものであるか否かを決定するための広告ＵＲＬ解析モジュールと、
前記要求が広告ウェブサイトからのものである場合、前記要求から監視ターゲット識別子を抽出し、前記要求に従ってユーザ識別子を取得して、前記監視ターゲット識別子および前記ユーザ識別子を含む追跡データを記録するための広告追跡および記録モジュールと、
広告効果監視イベントの発生時に、前記広告効果監視イベントに関連する、監視ターゲット識別子およびユーザ識別子を含む記録された追跡データが存在するか否かを決定し、存在する場合は、前記広告効果監視イベントの前記記録された追跡データおよび／または情報に基づいて、広告効果の有効日を記録するための広告効果解析モジュールと
を含むことを特徴とするシステム。
【請求項１７】
広告効果の前記有効日付に従って広告料金を計算し、前記広告料金の請求書を生成するための広告請求処理モジュールをさらに含むことを特徴とする請求項１６に記載のシステム。
【請求項１８】
前記広告追跡および報告モジュールは、
前記要求が広告ウェブサイトからのものである場合、前記要求から前記監視ターゲット識別子を抽出し、前記要求に従って前記ユーザ識別子を取得するための追跡モジュールと、
前記監視ターゲット識別子および前記ユーザ識別子を含む前記追跡データを記録するための記録モジュールと
を含むことを特徴とする請求項１６に記載のシステム。
【請求項１９】
前記広告効果解析モジュールは、
決定モジュールと、
有効データ記録モジュールと
を含むことを特徴とする請求項１６に記載のシステム。
【請求項２０】
広告効果の有効データを記録するために、前記有効データ記録モジュールは、
前記広告効果監視イベントが、前記記録された追跡データにおいて特定される開始日から開始する、事前設定された期間内に発生するか否かを決定するステップと、
発生する場合は、前記広告効果監視イベントの前記追跡データおよび／または情報に基づいて、広告効果の前記有効データを記録するが、発生しない場合は、前記イベントを無視するステップと
を行うことを特徴とする請求項１９に記載のシステム。
【発明の詳細な説明】
【技術分野】
【０００１】
本出願は、２００７年９月２０日出願の「オンライン広告の有効性を監視するための方法および機器（ＭＥＴＨＯＤ  ＡＮＤ  ＡＰＰＡＲＡＴＵＳ  ＦＯＲ  ＭＯＮＩＴＯＲＩＮＧ  ＥＦＦＥＣＴＩＶＥＮＥＳＳ  ＯＦ  ＯＮＬＩＮＥ  ＡＤＶＥＲＴＩＳＥＭＥＮＴ）」と題する中国特許出願第２００７１０１５３０５０．３号の優先権を主張する。
【背景技術】
【０００２】
本開示は、コンピュータおよび通信の技術分野に関し、具体的には、オンライン広告の有効性を監視するための方法および機器に関する。
【０００３】
インターネットの発展に伴って、企業はますます広告費の大部分をオンライン広告に費やすようになっている。そのため、電子商取引を行う広告主は、広告の有効性を監視することによって、有効なオンライン広告を正確に識別し、したがって、それらの有効な広告に支払う方法を必要とする。本方法は、通常、オンライン広告によってもたらされた特定のトラフィックを使用して広告の有効性を評価し、特定のトラフィックに基づいて、オンライン広告の料金を計算する。トラフィックは、通常、広告によってもたらされるクリックの数によって測定されるため、オンライン広告の有効性は、通常、広告のクリック数またはクリックスルー率によって表される。
【０００４】
オンライン広告のクリックスルーは、広告サイトとターゲットサイトとの間の監視サイトを使用して記録され、ターゲットサイトは、広告されている製品のウェブサイト（例えば、電子商取引ウェブサイト）であり、一方、広告監視サイトは第三者のサイトであり得る。つまり、広告監視サイトは、広告サイトのサーバ上でホストされ得るが、広告サイトサーバまたはターゲットサイトサーバ以外のサーバ上でもホストされ得る。ユーザがインターネット上の広告をクリックすると、ターゲットウェブページを見る要求が広告監視サイトに送信される。要求を受信すると、広告監視サイトは、広告のクリックスルーに対して１とカウントし、要求されたターゲットウェブページをユーザに戻して、その後のユーザ動作の追跡は継続しない。
【０００５】
クリックスルーは、オンライン広告によって生成されるターゲットサイトへのトラフィックをある程度表すが、クリック後のユーザ動作を追跡および解析しないため、広告によって導入されたトラフィックが、本当に所望の結果につながったか否かを決定することができない。さらに、この方法は、クリック詐欺を制御することができない。そのため、単純なクリックスルー方法は、オンライン広告の有効性を正確に反映せず、したがって、オンライン広告効果を監視する精度は低く、オンライン広告支出の有効性を決定することはできない。
【発明の概要】
【０００６】
向上した監視精度でオンライン広告の有効性を監視するための方法およびシステムを開示する。該方法は、ターゲットウェブページを訪れる要求を解析し、該要求が広告ウェブサイトからのものか否かを決定し、要求が広告ウェブサイトからのものである場合、監視ターゲット識別子を要求から抽出する。該方法は、要求に従ってユーザ識別子をさらに取得し、監視ターゲット識別子およびユーザ識別子を含む追跡データを記録する。追跡データの監視ターゲット識別子およびユーザ識別子に関連する広告効果監視イベントの発生時に、広告効果監視イベントの追跡データおよび／または情報に基づいて、広告効果の有効データを記録する。
【０００７】
代替として、広告効果監視イベントの発生時に、該方法は、イベントに関連する監視ターゲット識別子およびユーザ識別子を含む記録された追跡データを識別し、イベントの識別記録された追跡データおよび／または情報に基づいて、広告効果の有効データを記録する。
【０００８】
オンライン広告の有効性を監視するためのシステムは、広告ＵＲＬ解析モジュールを有し、ターゲットウェブページを訪れる要求を解析して、該要求が広告ウェブサイトからのものか否かを決定する。また該システムは、広告追跡および記録モジュールも有し、要求が広告ウェブサイトからのものである場合に、監視ターゲット識別子を要求から抽出し、要求に従ってユーザ識別子を取得して、監視ターゲット識別子およびユーザ識別子を含む追跡データを記録する。該システムは、広告効果解析モジュールをさらに有し、広告効果監視イベントの発生時に、イベントに関連する監視ターゲット識別子およびユーザ識別子を含む記録された追跡データが存在するか否かを決定し、存在する場合は、イベントの識別記録された追跡データおよび／または情報に基づいて、広告効果の有効データを記録する。
【０００９】
該方法およびシステムの開示される実施形態は、ターゲットウェブページを訪れる要求を追跡し、それが広告ウェブサイトからのものか否かを記録し、広告効果監視イベントの発生時に広告効果を解析して、広告効果の有効データを記録する。これらの実施形態は、オンライン広告の効果を正確に反映し得、オンライン広告の有効性の監視精度を向上させる。
【００１０】
この要約は、詳細な説明において以下でさらに説明される概念の選択を簡素化された形態で紹介するために提示される。この要約は、請求される主題の主要な特徴または基本的特徴を識別することを目的としておらず、請求される主題の範囲を決定する一助として使用されるものでもない。
【図面の簡単な説明】
【００１１】
詳細な説明は、添付の図面を参照して記載される。図面において、参照番号の左端の数字は、参照番号が最初に現れる図面を識別する。異なる図面における同一の参照番号の使用は、同様または同一の項目を示す。
【図１】ターゲットウェブページを訪れる要求を追跡するための例示的方法のフローチャートである。
【図２】オンライン広告を解析するための例示的方法のフローチャートである。
【図３】製品購入を完了するイベントの発生時に、広告効果を解析するための例示的方法のフローチャートである。
【図４】オンライン広告効果を監視するための例示的システムの構造図である。
【発明を実施するための形態】
【００１２】
オンライン広告の有効性を監視するための方法およびシステムは、以下の例示的な実施形態を使用して説明される。
【００１３】
一実施形態において、ターゲットウェブページを訪れるための要求は、ＵＲＬおよびユーザ情報を含む。通常、ユーザ情報は、クッキーファイルによって運ばれる。例えば、ユーザが過去にウェブサイトを訪れたことがある場合、該ウェブサイトによって提供されるクッキーは、該ユーザの識別子を含み得る。クッキーは、ユーザがウェブサイトを訪れると、ウェブサイトによってユーザのブラウザに送信されるファイルである。
【００１４】
本実施形態において、オンライン広告監視方法は、ターゲットウェブページを訪れるための要求を解析し、該要求に含まれるＵＲＬのパラメータに基づいて、該要求が広告からのものか否かを決定する。広告ウェブサイトは、広告を掲載するか、または広告サービスを提供するウェブサイトを意味する。要求が広告ウェブサイトからのものである場合、該方法は、要求とともに送信されるクッキーから、ユーザがオンライン広告を通して、ターゲットウェブサイトを過去に訪れたことがあるか否かを決定する。訪れたことがある場合、該方法は、クッキーからユーザ識別子を取得し、訪れたことがない場合、該方法は、固有のユーザ識別子を設定し、クッキー内に挿入する。
【００１５】
該方法は、要求においてＵＲＬによって運ばれるパラメータから監視ターゲット識別子を抽出し、監視ターゲット識別子、ユーザ識別子、および要求日を含む追跡データを記録する。監視ターゲット、例えば、広告されている製品等はカスタム定義され得る。
【００１６】
広告効果監視イベントの発生時に、該方法は、イベントが、記録された追跡データの監視ターゲット識別子およびユーザ識別子と関連するか否かを決定する。広告効果監視イベントは、一般に、その独自の監視ターゲット識別子およびユーザ識別子と関連する。これらの識別子が、記録された追跡データの識別子と一致する場合、イベントは、記録された追跡データの識別子（監視ターゲット識別子およびユーザ識別子）と関連すると考えられる。
【００１７】
広告効果監視イベントが、記録された追跡データの監視ターゲット識別子およびユーザ識別子と関連することが判明した場合、次いで、該方法は、広告効果監視イベントの追跡データおよび／または情報に基づいて、広告効果の有効データを記録する。
【００１８】
代替として、広告効果監視イベントの発生時に、該方法は、広告効果監視イベントに関連する監視ターゲット識別子およびユーザ識別子を含む、記録された追跡データを識別し、広告効果監視イベントの識別記録された追跡データおよび／または情報に基づいて、広告効果の有効データを記録する。
【００１９】
また、広告効果の有効データを記録する例示的方法は、ユーザ識別子および監視ターゲット識別子を含む追跡データを、広告効果の有効データとしてマーキングすることである。別の例示的方法は、広告効果監視イベントに関連する情報を広告効果の有効データのデータベースに記録することである。広告効果監視イベントに関連する情報の実施例は、ユーザ識別子、ターゲット識別子、広告される製品名、広告される製品の価格をデータベースに含める。これら２つの方法を組み合わせて、より多くの情報を広告効果の有効データに記録することができる。
【００２０】
上記プロセスを使用して、所望の、または有益な効果をもたらし得るオンライン広告動作を記録して、オンライン広告効果の正確な監視を可能にする。
【００２１】
広告効果監視イベントは、カスタム定義されたイベントであり得る。例えば、ユーザは、オンライン広告をクリックし、最終的に、広告されている製品を購入することができる。広告主（広告の所有者）が、かかる取引を、広告の有益または所望の効果を示すイベントとして定義する場合、取引の終了（購入）は、広告効果監視イベントとして使用され得る。
【００２２】
さらに、広告効果監視イベントは、ターゲットウェブページを訪れる要求がターゲットウェブサイトのサーバに送信される時間から始まる所定の期間内に生じる必要があり得る。追跡可能期間は、ユーザがオンライン広告をクリックした時間と、広告効果監視イベントが発生した時点との間で定義される。追跡可能期間は、顧客のニーズに従って自由に定義され得る。例えば、追跡可能期間が１５日に定義され、ユーザが製品のオンライン広告をクリックした後１５日以内に製品の購入を完了した場合、購入の完了は、事前設定された期間内に発生した監視イベントにおけるものと見なされ、したがって、有効な監視イベントである。ユーザが１５日後に購入を完了した場合、取引は無視され、有効な監視イベントとしてカウントされ得ない。これにより、カスタム定義された追跡期間を使用して、オンライン広告効果を監視するためのイベントの追跡が可能になる。
【００２３】
さらに、本実施形態の方法は、広告効果の有効データに従って広告料金を計算し、広告料金の請求書を生成することができる。広告主および広告ウェブサイトは、カスタム定義されたルールに基づき、記録された有効データに従って広告料金を計算し、広告料金の請求書を生成することができる。広告主は、オンライン広告から行われた支払および受理した利益に基づいて、オンライン広告の投資の回収を計算することができる。
【００２４】
さらに、上記実施形態において、ターゲットウェブページを訪れる要求を解析するステップと、追跡データを要求から抽出および記録するステップと、追跡データを広告効果の有効データに記録するステップと、有効データに従って広告料金を計算するステップは、すべて非同期的に行われ得る。つまり、これらの操作は、同時または一緒に同期的方法で行われない。これは、ユーザがターゲットウェブページを閲覧し、ターゲットウェブサイト上で通常のオンライン工程を実行することに対する影響を最小限にする。
【００２５】
広告主が特定の広告ウェブサイトに広告を掲載する場合、ハイパーリンクが広告に提供される。ハイパーリンクのＵＲＬは、第三者リンクを介して接続され得るか、またはターゲットウェブサイト等の顧客が指定した特定のウェブアドレスを使用する。同時に、情報伝達用のパラメータが広告のＨＴＭＬに設定され、監視ターゲット識別子、広告ウェブサイトのＵＲＬ等を定義する。ユーザが、広告ウェブサイトにおいてオンライン広告をクリックし、ターゲットウェブページを訪れる要求をターゲットウェブサイトのサーバに送信すると、広告のハイパーリンクのＵＲＬの後にパラメータが添付される。結果として生じる例示的ＵＲＬは、拡張ＵＲＬであり、以下の形態を取り得る。
【００２６】
http://www.xxx.com/aaa/ccc.htm?namel=variablel&name2=variable2&......
名前の１つは、要求の送信元ウェブサイトのＵＲＬアドレスを伝えるために使用される「Ｆｒｏｍ」であり得、別の名前は、監視ターゲット識別子を伝えるために使用される「ＯｂｊｅｃｔＩＤ」であり得る。
【００２７】
図１は、ターゲットウェブページを訪れる要求を追跡するための例示的方法のフローチャートである。この説明において、プロセスが説明される順序は、限定として見なされるものではなく、任意の数の説明されるプロセスブロックを任意の順序で組み合わせて、該方法または代替方法を実施することができる。
【００２８】
ブロック１０１において、ターゲットウェブサイトのサーバは、ターゲットウェブページを訪れるユーザ要求を受信する。例えば、ユーザが広告ウェブサイトにおいてオンライン広告をクリックすると、ターゲットウェブページを訪れる要求が、ターゲットウェブサイトのサーバに送信される。要求は、広告に対するハイパーリンクのＵＲＬの後にパラメータが添付された拡張ＵＲＬを有する。
【００２９】
ブロック１０２において、ターゲットウェブサイトのサーバは、要求を送信したユーザに要求されたウェブページを戻す。
【００３０】
ブロック１０３は、現在の要求のＵＲＬを取得し、要求がＵＲＬによって運ばれるパラメータに応じて該要求が広告ウェブサイトからのものか否かを決定する。回答が「はい」である場合、プロセスは次のブロック１０４に進む。「いいえ」の場合、プロセスはブロック１１０に進む。
【００３１】
ブロック１０４は、要求がユーザ識別子と関連するか否かを決定する。一実施形態において、ブロック１０４は、要求とともに送信されたクッキーが存在するか否かを決定する。クッキーの不在は、要求を送信したユーザが、ターゲットウェブサイトに初めて訪れ、ユーザ識別子が割り当てられていないことを示す。この場合、プロセスはブロック１０５に進み、クッキーファイルが確立され、割り当てられる。要求とともに送信されるクッキーの存在は、ユーザが以前にターゲットウェブサイトを訪れたことがあることを示している。この場合、該方法は、クッキーがユーザ識別子を含むか否かをさらに決定することができる。ユーザ識別子の不在は、ターゲットウェブサイトへのユーザの以前の訪問が、広告サイトを介していなかったことを示し、そのため、プロセスはブロック１０５に続く。クッキーがユーザ識別子を含む場合、プロセスはブロック１０６に進む。
【００３２】
ブロック１０５は、要求を行うユーザに固有のユーザ識別子を設定して割り当て、固有のユーザ識別子をユーザのクッキーに挿入する。
【００３３】
ブロック１０６は、クッキーからユーザ識別子を取得し、要求のＵＲＬによって運ばれるパラメータから監視ターゲット識別子（例えば、広告されている製品の識別子）も抽出する。
【００３４】
ブロック１０７は、ユーザ識別子および監視ターゲット識別子を含む追跡データを検索する。かかる追跡データが検出されない場合、プロセスはブロック１０８に続く。かかる追跡データが検出された場合、プロセスはブロック１０９に進む。
【００３５】
ブロック１０８は、ユーザ識別子、監視ターゲット識別子、および要求の日付等の追跡データを含み得る、現在の追跡データを記録する。
【００３６】
ブロック１０９は、ユーザ識別子および監視ターゲット識別子を含む現在の追跡データを使用して、既存の追跡データを更新するか、または現在の追跡データを既存の追跡データに対する複製として個別に記録する。選択は、実際のニーズに基づいて行われ得る。例えば、広告料金が、広告効果の監視から得られたデータに従って計算される場合、また料金基準が販売量に基づく場合、ブロック１０９は、既存の追跡データを更新して、追跡データにおいて記録される製品価格を現行価格に変更し、要求日を現行の日付に変更することができる。しかし、料金基準が、ユーザが広告を閲覧した時点における製品価格に基づき、ユーザが同一の製品を二回以上閲覧した場合、より高い価格を料金計算に使用することをさらに要求する場合、ブロック１０９は、ユーザ識別子、監視ターゲット識別子、および要求日等の追跡データを含む新しい記録を追加するよう選択する一方で、既存の追跡記録を考えられる今後の比較および使用のために保持することができる。
【００３７】
ブロック１１０は、現在の要求の追跡を終了する。
【００３８】
ユーザのブラウザは、ターゲットウェブサイトのサーバから戻されたウェブページを受信すると、上述のプロセスにおいて修正または作成されたクッキーファイルを受信する。ユーザがターゲットウェブサイトへの訪問を終了すると、ユーザのブラウザは、クッキーをユーザのコンピュータのハードドライブに保存する。ユーザが同一のターゲットウェブサイトを次に訪れると、ブラウザによって送信された要求とともに、保存されたクッキーがターゲットウェブサイトのサーバに送信される。ターゲットウェブサイトのサーバは、次いで、クッキーに含まれる情報を読み取るか、または修正し得る。
【００３９】
追跡データは、ユーザ名も記録し得る。クッキーにおいて見出されるユーザ識別子は、抽出形式を採り、ユーザのユーザ名とは異なり得る。ユーザがターゲットウェブサイトにログオンすると、システムは、クッキーに含まれるユーザ識別子に従って、対応する追跡データを検索し得る。ユーザ識別子を含む追跡データが見出されると、システムは、ユーザのユーザ名を、同一ユーザの識別子を含む追跡データに記録する。
【００４０】
広告効果監視イベントの発生は、オンライン広告またはオンライン広告の製品に関する、ユーザによる任意の操作であり得る。例えば、ユーザは、ターゲットウェブページで製品を選択し、ボタンを押して注文を行い、注文を確認するか、または製品の詳細情報のビューを確認することができる。ユーザは、オンライン広告をクリックおよび閲覧することもできる。この状況において、監視インジケータを設定し、広告効果監視イベントの発生を監視してもよい。広告効果監視イベントが発生すると、ユーザブラウザは、要求をターゲットウェブサイトのサーバに送信する。要求がサーバに到達すると、監視インジケータは、真の値を記録し、オンライン広告の効果の解析を開始する。
【００４１】
図２は、オンライン広告の効果を解析するための例示的方法のフローチャートである。該プロセスの主なステップは、以下に説明される通りである。
【００４２】
ブロック２０１において、ターゲットウェブサイトのサーバは、広告効果監視イベントの発生を検出する。
【００４３】
ブロック２０２は、イベントが広告によってもたらされたか否かを決定する。
【００４４】
広告効果監視イベントは、通常、ユーザ識別子および監視ターゲット識別子等の所定の監視情報と関連する。ユーザ識別子は、イベントに関連するユーザのクッキーから取得され得る。ターゲット識別子は、ターゲットウェブサイトのサーバ上のデータベースから、または広告効果監視イベントの発生時に、ユーザによってターゲットウェブサイトのサーバに送信された要求のＵＲＬによって運ばれるパラメータから取得され得る。
【００４５】
システムは、広告効果監視イベントに関連するユーザ識別子およびターゲット識別子を取得し、同一のユーザ識別子およびターゲット識別子を含む追跡データが存在するか否かを見出す。かかる追跡データの存在は、イベントが広告によってもたらされたことを示し、よってプロセスはブロック２０３に続く。かかる追跡データの不在は、イベントが広告によってもたらされたものでないことを示し、よってプロセスはブロック２０５に進む。
【００４６】
ブロック２０３は、イベントが、ブロック２０２において見出された追跡データに記録された要求日に基づいて、事前設定された期間内に発生したか否かを決定する。「はい」の場合、プロセスはブロック２０４に続く。「いいえ」の場合、プロセスはブロック２０５に進む。
【００４７】
ブロック２０４は、広告効果監視イベントの上記識別された既存の追跡データおよび／または情報に基づいて、広告効果の有効データを記録する。例えば、識別された既存の追跡データは、広告効果の有効データとしてマークされ得る。
【００４８】
ブロック２０５は、現行のイベントの監視を終了し、次の広告効果監視イベントの発生を待つ。
【００４９】
ブロック２０６において、ユーザは、関連イベントを行った後、通常のオンライン工程を継続する。監視プロセス（ブロック２０１から２０４）は、監視システムによって個別に行われるため、ユーザによる通常のオンライン手順の実行は、監視プロセスの影響を受けない。
【００５０】
以下、オンライン広告効果の解析の例示的実施が、実施例を使用してさらに詳細に説明され、ここで取引の完了（例えば、製品の購入）は、広告効果監視イベントとして使用される。この実施例において、追跡データは、広告追跡データベース（広告追跡データのデータベース）に保存され、該データベースは、既にある程度の記録を含むと推定される。事前設定された期間は、説明の目的で１５日である。ユーザがボタンをクリックして注文を確定すると、ターゲットウェブサイトのサーバにパラメータが伝送される。かかるパラメータは、監視ターゲット識別子、ユーザ識別子、製品価格および購入数を含む。注文要求を受信すると、ターゲットウェブサイトのサーバは、注文要求とともに送信されたパラメータのデータを保管する。有効データの記録は、広告追跡データベース内の追跡データを広告効果の有効データとしてマーキングすることによって行われる。広告料金は、オンライン広告の結果として完了した取引の数に基づいて計算される。
【００５１】
図３は、取引（例えば、製品購入）を完了するイベントの発生時に広告効果を解析するため、および広告効果に基づいて広告料金を計算するための例示的プロセスのフローチャートである。図３におけるプロセスの主要ステップを以下に説明する。
【００５２】
ブロック３０１において、取引を完了するイベントが、ターゲットウェブサイト上で発生する。
【００５３】
ブロック３０２は、イベントに関連するユーザクッキーからイベントに関連するユーザ識別子を取得し、ターゲットウェブサイトのサーバにおいて、完了した取引のデータベースからイベントのターゲット識別子を取得する。
【００５４】
ブロック３０３は、広告追跡データベース内で、取得されたユーザ識別子およびターゲット識別子を含む追跡データを検索することによって、取得した識別子が、広告追跡データベースに存在するか否かを決定する。かかる追跡データが見出される場合、プロセスはブロック３０４に続き、見出されない場合、プロセスはブロック３０８に進む。
【００５５】
ブロック３０４は、ブロック３０３における広告追跡データベースの検索において見出される追跡データにおいて、訪問日ｔ１を取得する。これは、通常、最後または最近に、ユーザが同一のターゲット識別子で広告を訪れた時間である。該ブロックは、現在の日付も取得し、現在のイベント発生日ｔ２として使用する。
【００５６】
３０５におけるブロックは、Ｄ＝ｔ２−ｔ１を使用して、訪問日ｔ１と現在のイベント日ｔ２との間のタイムスパンＤを計算する。
【００５７】
ブロック３０６は、Ｄが、この実施例では１５日に設定されている、事前設定された期間より小さいか、または等しいか否かを決定する。「はい」の場合、プロセスはブロック３０７に続く。「いいえ」の場合、プロセスはブロック３０８に進む。
【００５８】
ブロック３０７は、広告効果監視イベントの追跡データおよび／または情報に基づいて、広告効果の有効データを記録する。例えば、ブロック３０７は、ユーザ識別子およびターゲット識別子を含む追跡データを広告効果の有効データとしてマークすることができる。
【００５９】
ブロック３０８は、取引を完了するイベントの解析を終了し、次のイベントの発生を待つ。
【００６０】
ブロック３０９において、ユーザは、取引（製品の購入）を完了した後、通常のオンライン工程を継続する。
【００６１】
取引を完了するイベントの各発生に対して、一部のデータは、広告効果の有効データとして記録またはマークされる。したがって、同一ユーザおよび同一ターゲット（例えば、製品）に関連する有効データは、同一ユーザおよび同一ターゲットに関連する監視イベントの蓄積情報を含み、解析して広告効果を推定することができる。かかる解析の実施例は、ブロック３１０と併せて以下に説明される。
【００６２】
ブロック３１０は、広告効果の記録された有効データに基づいて、広告料金を計算し、広告料金の請求書を作成する。これは、広告追跡データベースにおいて有効データとしてマークされている量ｎを検索および計算することによって行い、量ｎを使用して、オンライン広告料金を計算することができる。例えば、広告主が、広告された製品の取引を良好に完了する毎に、支払いｍを行う場合、現在のシナリオにおいて広告主により支払われる必要がある広告料金の総額は、ｍｘｎで計算される。
【００６３】
最後に、広告主は、支払われた広告料金およびオンライン広告によって生成された利益に基づいて、投資の回収を計算することができる。
【００６４】
他の広告効果監視イベントを使用するプロセスは、上述のプロセスに類似するため、ここでは反復しない。
【００６５】
図４は、オンライン広告効果を監視するための例示的システムの構造図である。監視システム４００は、広告ＵＲＬアナライザモジュール４１０、広告追跡および記録モジュール４２０、および広告効果解析モジュール４３０を有する。広告ＵＲＬ解析モジュール４１０は、ターゲットウェブページを訪れるための要求を解析し、要求が広告ウェブサイトからのものであるか否かを決定するために使用される。広告追跡および記録モジュール４２０は、広告ウェブサイトから送信された要求に関する情報を追跡および記録するために使用される。広告効果解析モジュール４３０は、イベントの発生時に広告効果監視イベントを解析し、広告効果の有効追跡データを記録するために使用される。
【００６６】
一部の実施形態において、広告追跡および記録モジュール４２０は、要求が広告ウェブサイトからのものである場合、監視ターゲット識別子を要求から抽出し、要求に従ってユーザ識別子を取得し、監視ターゲット識別子およびユーザ識別子を含む追跡データを記録するために使用される。広告追跡および記録モジュール４２０は、追跡モジュール４２１および記録モジュール４２２を含み得、それぞれ追跡および記録機能の一部を実行する。広告効果解析モジュール４３０は、広告効果監視イベントの発生時に、イベントに関連する、監視ターゲット識別子およびユーザ識別子を含む記録された追跡データが存在するか否かを決定するために使用される。存在する場合、広告効果解析モジュール４３０は、本明細書で説明されるように、広告効果監視イベントに関する識別記録された追跡データおよび／または情報に基づいて、広告効果の有効データを記録する。
【００６７】
広告効果解析モジュール４３０は、決定モジュール４３１および有効データ記録モジュール４３２を含み得、それぞれ機能の一部を実行する。
【００６８】
実施において、異なるユーザおよびターゲットに関連する複数の追跡データが、広告追跡データベースまたはデータファイルに存在する。広告効果監視イベントの発生時に、広告効果解析モジュールは、現在のイベントに関連するユーザ識別子およびターゲット識別子を含む追跡データが存在するか否かを最初に決定し得る。「はい」の場合、識別された追跡データは、広告効果の有効データとしてマークされ得る。
【００６９】
広告効果監視システム４００は、広告効果の有効データに従って、広告料金を計算し、広告料金の請求書を生成するための広告請求処理モジュール４４０をさらに含む。
【００７０】
広告効果監視システム４００のより具体的な例示的実施形態は、以下のように機能する。
【００７１】
ターゲットウェブサイトのサーバが、ターゲットウェブページを訪れる要求を受信すると、広告ＵＲＬ解析モジュール４１０は、（例えば、傍受を介して）要求を取得し、それを解析して、要求が広告ウェブサイトからのものか否かを決定する。監視システム４００は、要求が広告ウェブサイトからのものである場合、広告追跡および記録モジュール４２０を起動するが、要求が広告ウェブサイトからのものでない場合は、要求の追跡を無視する。起動時に、追跡モジュール４２１は、要求のＵＲＬによって運ばれるパラメータに従って、監視ターゲット識別子を抽出し、要求に関連するユーザ識別子が存在するか否かを決定する。存在しない場合、監視システム４００は、固有のユーザ識別子を割り当て、それをユーザのクッキーに挿入する。記録モジュール４２２は、要求に関連する追跡データを記録し、広告追跡データベースまたはデータファイルに追跡データを保存する。追跡データは、ユーザ識別子、ターゲット識別子、および訪問日を含み得る。同一ユーザによる同一ターゲットの複数訪問に対して、監視システム４００は、ユーザ識別子およびターゲット識別子を含む既存の追跡データを更新するか、または既存の追跡データに加えて、ユーザ識別子およびターゲット識別子を含む新しい追跡データを個別に記録するよう選択することができる。
【００７２】
広告効果監視イベントの発生時に、監視システム４００は、広告効果解析モジュール４３０を起動する。解析モジュール４３０の決定モジュール４３１は、広告追跡データベースにおける既存の記録またはデータファイルを最初に使用して、現在の広告効果監視イベントに関連するユーザ識別子およびターゲット識別子を含む追跡データが存在するか否かを決定する。「はい」の場合、決定モジュール４３１は、イベントの発生が、追跡データに含まれる要求日（訪問日）から事前設定された期間内であるか否かをさらに決定する。「はい」の場合、追跡データは、広告効果の有効データと見なされ、したがって、有効データ記録モジュール４３２は、追跡データを広告効果の有効データとして記録（またはマーク）し、そうでなければ、追跡データは、広告効果の有効データと見なされない。広告請求処理モジュール４４０は、次いで、所定のルールに従って、記録された有効データに基づいて広告料金を計算し、広告料金の請求書を生成する。
【００７３】
上述の実施例において、クッキーにより運ばれる情報が使用されるが、これは限定を意味しないことに留意されたい。所定の状況において、セキュリティー上の懸念からクッキーが使用されない場合があり、結果として、他の方法（異なる種類のメッセージセグメント等）を使用してユーザ情報を運んでもよい。他の方法によって運ばれるかかるユーザ情報の処理は、クッキーを使用して上述されるものと原則的に同一であることは当業者には明らかである。例えば、ユーザ識別子は、関連メッセージセグメントから抽出され得るか、または割り当てられたユーザ識別子は、メッセージセグメントに挿入され得る。
【００７４】
本開示のオンライン広告効果監視システム４００は、好ましくはサーバであるコンピューティング装置を使用して実施され得ることに留意されたい。コンピュータ可読媒体は、アプリケーションプログラムおよびデータ（例えば、追跡データ）を保存する。アプリケーションプログラムは、プロセッサによって実行されると、本明細書で説明されるプロセス（例えば、図１から３で説明されるプロセス）のアクションをプロセッサに行わせる指示を含み得る。
【００７５】
コンピューティング装置は、プロセッサ、入出力装置、およびコンピュータ可読媒体（内部または外部のいずれか）を有する任意の装置であり得、パーソナルコンピュータに限定されないことも理解されたい。特に、コンピュータ装置は、サーバコンピュータ、またはかかるサーバコンピュータの一群であり得、インターネットまたはイントラネットのいずれかであり得るネットワークを介して接続される。
【００７６】
特に、オンライン広告効果監視システム４００は、ターゲットウェブサイトのサーバおよび広告ウェブサイトのサーバから離れた、またはそれらの一部である１つまたは複数のサーバにおいて実施され得る。
【００７７】
コンピュータ可読媒体は、コンピュータデータを保存するための好適な保存または記憶装置のいずれかであり得ることを理解されたい。かかる保存または記憶装置は、ハードディスク、フラッシュメモリ装置、光学データストレージ、およびフロッピーディスクを含むが、それらに限定されない。さらに、コンピュータ実行可能な指示を含むコンピュータ可読媒体は、ローカルシステムにおける構成要素、または複数のリモートシステムのネットワーク上に分散される構成要素から成り得る。コンピュータ実行可能な指示のデータは、有形の物理メモリ装置において送達されるか、または電子的に伝送され得る。
【００７８】
要するに、開示される実施形態は、ターゲットウェブページを訪れる要求を追跡し、要求が広告ウェブサイトからのものか否かを決定し、広告ウェブサイトからの要求に関連する情報を記録し、広告効果監視イベントの発生時に広告効果を解析し、広告によって導入されたトラフィックにおけるそれらの取引の記録のみを有効データと見なし、有益な効果を広告主にもたらす。これは、オンライン広告におけるクリック詐欺を効果的に制御し、広告効果を監視する精度を向上させる。さらに、広告主は、広告効果の解析結果に従って、オンライン広告の支払いを決めることができ、したがって、オンライン広告の投資の回収をより正確に推定することができる。さらに、ターゲットウェブページを訪れる要求を追跡することで、カスタム定義された期間を使用し、広告によってもたらされた効果を追跡することが可能になる。広告効果を監視するための特定のイベントおよび追跡期間はいずれも顧客定義することができるため、システムは高い設定可能性を有する。最後に、開示される実施形態の一部において、ターゲットウェブページを訪れる要求の解析、および広告効果監視イベントの追跡、記録、および解析は、非同期的に行われるため、ユーザのターゲットウェブページの閲覧および通常のオンライン工程の実行は影響を受けない。
【００７９】
本明細書で論じられる可能な利益および利点は、添付の請求項の範囲に限定または制限されるものと見なされない。
【００８０】
主題は構造的特徴および／または方法論的動作に特異的な言語で説明されているが、添付の請求項において定義される主題は、説明される特定の特徴または動作に必ずしも限定されない。むしろ、特定の特徴および動作は、請求項を実装する例示的な形態として開示される。
【図１】
2010541047.tif 000003
【図２】
2010541047.tif 000004
【図３】
2010541047.tif 000005
【図４】
2010541047.tif 000006
【国際調査報告】
2010541047.tif 000007